(57)【特許請求の範囲】
【請求項１】
筐体と、
前記筐体の外側面に設置される挟着部と、
前記挟着部と前記筐体とにより物を挟んだときに前記筐体において前記挟着部を受ける部分にある前記筐体の内外の空気の出入りを可能とする通気孔を、防水検査を実施する際に、前記筐体と前記挟着部とにより挟まれて塞ぐ、弾性体の蓋と
を備える防水構造を有する機器。
【請求項２】
前記挟着部は、クリップである
請求項１記載の機器。
【請求項３】
前記通気孔は、前記筐体にて、前記クリップを受けるクリップ受け部に囲まれた位置にある請求項２記載の機器。
【請求項４】
前記通気孔から空気は出入りするが、水は入らないように取り付けられた防水性のシートである通気シートをさらに有する
請求項１乃至請求項３の何れか一項に記載の機器。
【請求項５】
機器の防水検査を実施する際に、その機器の筐体の外側面に設置される挟着部と前記筐体とにより物を挟んだときに前記筐体において前記挟着部を受ける部分にある前記筐体の内外の空気の出入りを可能とする通気孔を、前記筐体と前記挟着部とで、弾性体の蓋を挟むことにより、
塞ぐ方法。
【発明の詳細な説明】
【技術分野】
【０００１】
本発明は、防水構造を有する機器およびその通気孔を塞ぐ方法に関する。
【背景技術】
【０００２】
一般的に、防水構造を有する機器は、浸水を防ぐためにその筐体を密閉構造にすると、周囲温度の変化により筺体内部の圧力が高くなったときに筺体の弱い部分が膨らんでしまう。そのため、防水構造を有する機器は、その筐体に孔を設け、孔に防水性の通気シートを取り付けて空気が出入りできるようにすることにより、筐体内部の圧力が急激に変化しないようにしている。以下において、この孔を通気孔という。
【０００３】
防水構造を有する機器の出荷前に実施する防水検査の方法として、特許文献１に開示される方法が知られている。この方法は、機器に空気圧をかけてその筐体の密閉具合を確認する。そのために、防水検査は、機器の通気孔を塞いで実施される必要がある。また、防水検査の方法には、特許文献２に開示される方法もある。これは、内部へ外部から検出可能なトレーサガスを送り込み、外部からトレーサガスの漏れを検出する方法である。この方法を用いる場合においても、防水検査は、防水構造を有する機器の通気孔を塞いで実施される必要がある。
【０００４】
ここで、関連技術としては、例えば以下の特許文献がある。
【０００５】
特許文献３は、上蓋に設けたパッキンを押下することにより、機器内への水の浸入を防ぎつつ、機器内の終話釦を押下する緊急通報システム端末機器を開示している。
【０００６】
特許文献４は、場所をとらずに簡単にふたの外側から装置内部へ任意の本数の複数のケーブルを通すことができ、しかも防水機能を確保できる防水ふたを有する情報処理装置を開示している。
【０００７】
特許文献５は、携帯型電子機器等の筐体の角部に設けられる電池収納部の蓋に関し、簡易な操作で着脱できる完全な防水装置を開示している。
【先行技術文献】
【特許文献】
【０００８】
【特許文献１】特開平０９−０７２８１９号公報
【特許文献２】特開２０１２−１３２９１１号公報
【特許文献３】特開２００１−０９３０６５号公報
【特許文献４】特開２００２−０２３８９０号公報
【特許文献５】特開２００２−３５３６４７号公報
【発明の概要】
【発明が解決しようとする課題】
【０００９】
防水構造を有する機器の防水検査を実施する際に、通気孔は、シールを使って塞がれることが多い。しかし、シールは、検査時に貼付および剥離する作業が必要になること、および一旦剥がすと接着力が弱くなり再利用できないということが問題になっている。
【００１０】
また、通気孔が筐体の外観面に露出していると、ユーザが誤って通気シートを破る可能性が高くなってしまう。
【００１１】
しかしながら、特許文献３乃至５に提案されている技術は、常時防水することを目的とする技術であるため、防水検査のときのみ防水することを前提とする上述の問題を解決するに至らない。
【００１２】
そこで、本発明は、防水検査を実施する際に、通気孔を塞ぐシールが不要な防水構造を有する機器等の提供を主たる目的とする。
【課題を解決するための手段】
【００１３】
上記の目的を達成すべく、本発明の一態様に係る防水構造を有する機器は、以下の構成を備える。
【００１４】
即ち、本発明の一態様に係る防水構造を有する機器は、
筐体と、
前記筐体の外側面に設置される挟着部と、
前記挟着部と前記筐体とにより物を挟んだときに前記筐体において前記挟着部を受ける部分にある前記筐体の内外の空気の出入りを可能とする通気孔を、防水検査を実施する際に、前記筐体と前記挟着部とにより挟まれて塞ぐ、弾性体の蓋と
を備える。
【００１５】
同目的を達成する本発明の一態様に係る通気孔を塞ぐ方法は、
機器の防水検査を実施する際に、その機器の筐体の外側面に設置される挟着部と前記筐体とにより物を挟んだときに前記筐体において前記挟着部を受ける部分にある前記筐体の内外の空気の出入りを可能とする通気孔を、前記筐体と前記挟着部とで、弾性体の蓋を挟むことにより、塞ぐ。
【発明の効果】
【００１６】
上記の本発明によれば、防水検査を実施する際に、通気孔を塞ぐシールが不要になるという効果がある。
【図面の簡単な説明】
【００１７】
【図１】本発明の第１の実施形態に係る防水構造を有する機器の断面図である。
【図２】本発明の第２の実施形態に係る防水構造を有する機器の断面図である。
【図３】本発明の第２の実施形態に係る防水構造を有する機器の通常時の断面図である。
【図４】本発明の第２の実施形態に係る機器におけるクリップを開いた状態の断面図である。
【図５】本発明の第２の実施形態に係る機器における通気孔周囲の形状を示す斜視図である。
【図６】本発明の第２の実施形態に係る機器における通気孔に対して突起物を挿入しようとした状態を説明する図である。
【図７】本発明の第２の実施形態に係る機器における別形状の蓋を説明する図である。
【発明を実施するための形態】
【００１８】
次に、本発明を実施する形態について図面を参照して詳細に説明する。
【００１９】
＜第１の実施形態＞
図１は、本発明の第１の実施形態に係る防水構造を有する機器の断面図である。
【００２０】
本実施形態に係る機器１００は、筐体１と、挟着部３と、通気孔４と、蓋７とを有する。機器１００は、例えば、携帯音楽プレーヤーのリモコンや温度湿度センサなどである。
【００２１】
挟着部３は、筐体１の外側面に設置される。挟着部３と筐体１は、ある物を挟むことにより、機器１００をその物に取り付ける。
【００２２】
通気孔４は、物を挟んだとき筐体１において挟着部３を受ける部分にあり、機器１００の内部の圧力が急激に変化しないように筐体１の内外の空気の出入りを可能とする。
【００２３】
蓋７は、弾性体であり、防水検査を実施する際に、筐体１と挟着部３とにより挟まれて、通気孔４を塞ぐ。
【００２４】
以上、説明したように、第１の実施形態には、防水検査を実施する際に、通気孔を塞ぐシールが不要になるという効果がある。
【００２５】
その理由は、本実施形態に係る機器１００は、筐体１と挟着部３とにより挟まれた蓋７により、通気孔４が塞がれるからである。
【００２６】
＜第２の実施形態＞
次に上述した第１の実施形態に係る機器１００を基本とする第２の実施形態について説明する。図２は、本発明の第２の実施形態に係る防水構造を有する機器の断面図である。ただし、図２に示す構成は、一例であって、本発明の実施形態は、図２に示す防水構造を有する機器２００に限定されない。図２に示す機器２００は、防水検査を行うときの状態、すなわち、通気孔を塞いだ状態である。
【００２７】
本実施形態に係る機器２００は、カバー１０と、ケース２０と、クリップ３０と、通気孔４０と、通気シート５０と、バネ６０と、蓋７０とを有する。
【００２８】
カバー１０とケース２０は、第１の実施形態の筐体１の他の一例である。
【００２９】
クリップ３０は、ケース２０に設置される。そして、機器２００を取り付けるために使用される。例えば、機器２００を使用するユーザは、自身の洋服などをクリップ３０で挟むことにより、機器２００を洋服に取り付ける。クリップ３０は、第１の実施形態の挟着部３の他の一例である。
【００３０】
通気孔４０は、物を挟んだときケース２０において挟着部３を受ける部分にあり、機器２００の内部の圧力が急激に変化しないようにカバー１０とケース２０の内外の空気の出入りを可能とする。
【００３１】
通気シート５０は、通気孔４０から空気が出入りするように保ちつつ、水が入らないように取り付けられた防水性のシートである。
【００３２】
バネ６０は、クリップ３０の開閉動作を支持する。
【００３３】
蓋７０は、弾性体であり、ケース２０とクリップ３０とにより挟まれて、通気孔４０を塞ぐ。蓋７０は、例えば、ゴムや、合成樹脂などから成る。その材質は、弾性を有すれば、これに限らない。
【００３４】
図３は、本発明の第２の実施形態に係る防水構造を有する機器の通常時の断面図である。図３に示すように通気孔４０は、ケース２０のクリップ受け部２０ａの内部に設けられる。図４は、本発明の第２の実施形態に係る機器におけるクリップを開いた状態の断面図である。図３に示す機器２００は、通常ユーザが使用するときの状態を示している。防水検査に備えて、機器２００は、図４に示すようにクリップ３０を開き、バネ６０が発生する力により、図２に示すように蓋７０が変形し、通気孔４０を塞ぎ空気を封止する。
【００３５】
クリップ３０は、機器２００から取り外されることはないが、ここでは説明のために、クリップを取り外した状態を表す図５〜７を用いて説明する。
【００３６】
図５は、本発明の第２の実施形態に係る機器における通気孔周囲の形状を示す斜視図である。図５に示すように、通気孔４０は、クリップ受け用の凹凸部２０ｂで周囲を囲まれている。
【００３７】
図６は、本発明の第２の実施形態に係る機器における通気孔に対して突起物９０を挿入しようとした状態を説明する図である。図５に示された凹凸部２０ｂは、図６に示す突起物９０を通気孔４０に突き刺すことを防止する。
【００３８】
ケース２０、カバー１０、クリップ３０の材質は、樹脂に限らず、例えば金属でも良い。
【００３９】
本実施形態の構成要素の形状は、図２〜図６を参照した上述の説明に限らない。例えば、図７の蓋７１に示すように、蓋の形状は、板状であってもよい。図７は、本発明の第２の実施形態に係る機器における別形状の蓋を説明する図である。
【００４０】
本実施形態では、クリップは、バネによって動作するものとして説明したが、これに限らず、例えば樹脂の弾性力を用いたものでも良い。
【００４１】
弾性体の蓋を押さえつける要素は、クリップに限らず、例えば、筺体に嵌合構造により取り付けられる部品でも良い。
【００４２】
また、蓋は、着脱式でなくてもよい。機器をクリップで挟むときに通気孔が閉じないよう考慮すれば、蓋は、例えば、クリップが閉じることにより、蓋の一部が変形し、通気孔を塞ぐ構成でも良い。
【００４３】
以上、説明したように、第２の実施形態には、防水検査を実施する際に、通気孔を塞ぐシールが不要になるという効果がある。
【００４４】
その理由は、本実施形態に係る機器２００は、通気孔をクリップ受け部に囲まれた位置に配置し、防水検査時にその通気孔を塞ぐ蓋をクリップで押さえて、通気孔を塞ぐからである。これにより、本実施形態によれば、防水検査時に、通気孔に貼るシールを用いることなく、機器２００は、その通気孔を塞がれることができる。すなわち、シールの貼付および剥離の作業工程は、不要となる。
【００４５】
また、蓋は、着脱式にすれば、再利用が可能になる。
【００４６】
さらに、通気孔がクリップ受け用の凹凸部２０ｂにより囲まれているため、ユーザが通気孔に取り付けた通気シートを誤って破る可能性を低くすることが可能になる。
【００４７】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【００４８】
１    筐体
３    挟着部
４    通気孔
７    蓋
１０    カバー
２０    ケース
２０ａ    クリップ受け部
２０ｂ    凹凸部
３０    クリップ
４０    通気孔
５０    通気シート
６０    バネ
７０    蓋
７１    蓋
９０    突起物
１００    機器
２００    機器
【図１】
0006306553.tif 000002
【図２】
0006306553.tif 000003
【図３】
0006306553.tif 000004
【図４】
0006306553.tif 000005
【図５】
0006306553.tif 000006
【図６】
0006306553.tif 000007
【図７】
0006306553.tif 000008